【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
電子機器に無線給電を行う給電手段と、
前記電子機器と通信を行う通信手段と、
前記電子機器に対して所定の電力の出力を開始する前に、異物を検出するための異物検出処理を行うか否かを示す情報の前記電子機器への送信を前記通信手段に行わせる制御手段と
を有することを特徴とする給電装置。
【請求項２】
前記制御手段は、前記所定の電力の大きさに応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１に記載の給電装置。
【請求項３】
前記制御手段は、前記所定の電力が第１の値よりも大きい場合、前記異物検出処理を行うことを示す情報を前記通信手段に送信させ、
前記制御手段は、前記所定の電力が前記第１の値以下である場合、前記異物検出処理を行わないことを示す情報を前記通信手段に送信させる
ことを特徴とする請求項１または２に記載の給電装置。
【請求項４】
前記制御手段は、前記給電手段によって前記所定の電力が出力される所定の時間の長さに応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１から３のいずれか１項に記載の給電装置。
【請求項５】
前記制御手段は、前記給電手段によって前記所定の電力が出力される所定の時間が第２の値以上である場合、前記異物検出処理を行うことを示す情報を前記通信手段に送信させ、
前記制御手段は、前記所定の時間が前記第２の値以上でない場合、前記異物検出処理を行わないことを示す情報を前記通信手段に送信させる
ことを特徴とする請求項１から４のいずれか１項に記載の給電装置。
【請求項６】
前記制御手段は、前記電子機器に接続される電池の残容量に応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１から５のいずれか１項に記載の給電装置。
【請求項７】
前記制御手段は、前記電子機器に接続される電池の残容量が第３の値以上である場合、前記異物検出処理を行わないことを示す情報を前記通信手段に送信させ、
前記制御手段は、前記残容量が前記第３の値以上でない場合、前記異物検出処理を行うことを示す情報を前記通信手段に送信させる
ことを特徴とする請求項１から６のいずれか１項に記載の給電装置。
【請求項８】
前記制御手段は、前記電子機器から要求される電力の大きさに応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１から７のいずれか１項に記載の給電装置。
【請求項９】
前記制御手段は、前記給電手段から出力される電力の反射に関するデータを用いて前記異物検出処理を行うことを特徴とする請求項１から８のいずれか１項に記載の給電装置。
【請求項１０】
前記制御手段は、前記給電手段に流れる電流に関するデータを用いて前記異物検出処理を行うことを特徴とする請求項１から９のいずれか１項に記載の給電装置。
【請求項１１】
前記制御手段は、前記異物検出処理が行われた場合、異物が検出されなかったことを応じて、前記所定の電力の出力を前記給電手段に開始させることを特徴とする請求項１から１０のいずれか１項に記載の給電装置。
【請求項１２】
前記制御手段は、前記異物検出処理が行われた場合、異物が検出されたことを応じて、前記給電手段から出力される電力を制限するための処理を行うことを特徴とする請求項１から１１のいずれか１項に記載の給電装置。
【請求項１３】
前記制御手段は、前記異物検出処理が行われた場合、異物が検出されたことを応じて、前記給電手段から出力される電力を下げるための処理を行うことを特徴とする請求項１から１２のいずれか１項に記載の給電装置。
【請求項１４】
前記通信手段によって前記電子機器に送信される前記異物検出処理を行うことを示す情報には、前記異物検出処理を行うための時間を示す情報が含まれることを特徴とする請求項１から１３のいずれか１項に記載の給電装置。
【請求項１５】
前記通信手段によって前記電子機器に送信される前記異物検出処理を行うことを示す情報には、異物を検出するための方法を示す情報が含まれることを特徴とする請求項１から１４のいずれか１項に記載の給電装置。
【請求項１６】
電子機器であって、
給電装置から無線で電力を受け取る受電手段と、
前記給電装置から異物を検出するための異物検出処理を行うか否かを示す情報を前記給電装置から受け取る通信手段と、
前記給電装置から前記異物検出処理を行うことを示す情報が受信された後、前記異物検出処理が行われる検出時間が経過するまで、前記電子機器の負荷を制限する制御手段と
を有することを特徴とする電子機器。
【請求項１７】
電子機器であって、
給電装置から無線で電力を受け取る受電手段と、
前記給電装置から異物を検出するための異物検出処理を行うか否かを示す情報を前記給電装置から受け取る通信手段と、
前記給電装置から前記異物検出処理を行うことを示す情報が受信された後、前記異物検出処理が行われる検出時間が経過するまでは、前記電子機器に流れる電流を制限する制御手段と
を有することを特徴とする電子機器。
【請求項１８】
電子機器に無線給電を行う給電ステップと、
前記電子機器と通信を行う通信ステップと、
前記電子機器に対して所定の電力の出力を開始する前に、異物を検出するための異物検出処理を行うか否かを示す情報の前記電子機器への送信を前記通信ステップにおいて行わせる制御ステップと
を有することを特徴とする給電装置の制御方法。
【請求項１９】
電子機器の制御方法であって、
給電装置から無線で電力を受け取る受電ステップと、
前記給電装置から異物を検出するための異物検出処理を行うか否かを示す情報を前記給電装置から受け取る通信ステップと、
前記給電装置から前記異物検出処理を行うことを示す情報が受信された後、前記異物検出処理が行われる検出時間が経過するまで、前記電子機器の負荷を制限する制御ステップと
を有することを特徴とする電子機器の制御方法。
【請求項２０】
電子機器の制御方法であって、
給電装置から無線で電力を受け取る受電ステップと、
前記給電装置から異物を検出するための異物検出処理を行うか否かを示す情報を前記給電装置から受け取る通信ステップと、
前記給電装置から前記異物検出処理を行うことを示す情報が受信された後、前記異物検出処理が行われる検出時間が経過するまでは、前記電子機器に流れる電流を制限する制御ステップと
を有することを特徴とする電子機器の制御方法。